(57)【要約】【課題】本発明は照明機能を具備したレンジフード付き高周波加熱装置に関するもので、照明の明るさを可変するための半導体回路部品を使う調光装置の構成において、その照明用白熱ランプのフィラメントが短絡故障した時に発生する過電流を防止して調光装置の半導体部品を保護する回路構成を提供すること。【解決手段】第一の白熱ランプ１と第二の白熱ランプ２は２個のランプを負荷電源３に対して直列に接続し、たとえ１個のランプが短絡故障を起こしても他のランプの内部抵抗によって短絡電流が制限され、調光装置９に短絡時の過電流が流れないようにした装置。【選択図】図１
2010198892.tif 000002
【特許請求の範囲】
【請求項１】
レンジフード付き高周波加熱装置に内蔵した、前記高周波加熱装置の下方を照らすための照明ランプである第一の白熱ランプと第二の白熱ランプと、前記照明ランプの輝度を調光する為の電流制御回路を具備した調光装置とを備え、前記照明ランプは２個以上の白熱ランプを直列に接続する回路構成としたレンジフード付き高周波加熱装置。
【請求項２】
調光装置の電流制御素子は、トライアックなどの半導体素子を使用した請求項１に記載のレンジフード付き高周波加熱装置。
【発明の詳細な説明】
【技術分野】
【０００１】
本発明は限られた空間で使用されるレンジフード付き高周波加熱調理装置の照明装置に関するものである。
【背景技術】
【０００２】
従来、この種のレンジフード付き高周波加熱装置は図２に示すように、高周波加熱装置本体の底面に付属する照明装置の輝度を調節する調光装置は、トライアックなどの半導体素子を使用して調光している（例えば、特許文献１参照）。また、リレーを使用して、２個のランプのうち１個を点灯するか２個を点灯するかによって明るさを調光しているものもある（例えば、特許文献２参照）。
【０００３】
図３は、特許文献１に記載された従来の調光機を示すものである。図３に示すように、トライアック１と、負荷２（この場合、負荷は白熱ランプ）と、制御回路３と、負荷電源である交流電圧供給端子４、５から構成されている。
【０００４】
図４は、特許文献２に記載された従来の調理機を示すものである。図４に示すように、ランプ１１、１２と、そのランプを点灯制御するリレー接点３３ａ、３４ａから構成されている。
【特許文献１】特開平１１−３７８５号公報
【特許文献２】特開平１−２４６７８５号公報
【発明の開示】
【発明が解決しようとする課題】
【０００５】
従来のトライアックを使用した調光方式では、以下の問題があった。ランプの寿命が尽きる時点で時々過電流が発生し、それによってトライアックが故障する事故があった。ランプ故障による過電流の発生は、白熱ランプのフィラメントが切れた時に、その飛散物が電極の端子間を短絡することによって発生する事が多く、半導体からなるトライアックは、この過電流に対する耐力が小さい為に部品が故障してしまうことがある。
【０００６】
このように、トライアックを使用した前記特許文献１にある従来の構成では、過電流によりトライアックが故障するという課題を有していた。
【０００７】
また、特許文献２にある、リレーを使用した調光機のリレー接点は、短絡電流に対する耐力はトライアックより比較的強く、調光自体の故障の問題はある程度減少するが、それでも過大な電流に対してはリレー接点が壊れたり、リレーの接続線が断線したりするような事もある。
【０００８】
また、ランプ１個あるいは２個の点灯消灯を選択できるだけなので、トライアックを使用して調光する場合のように、調光輝度を連続的に可変する事ができないという課題を有していた。
【０００９】
本発明は、前記従来の課題を解決するもので、ランプ故障により発生する過電流を小さくする事によって、調光装置に使用するトライアックやサイリスタを過電流破壊から保護する構成を提供するものである。
【課題を解決するための手段】
【００１０】
前記従来の課題を解決するために、本発明のレンジフード付き高周波加熱装置は、照明
ランプと、前記照明ランプの輝度を調光する為の調光装置を具備し、前記照明ランプは２個以上の白熱ランプを直列に接続する回路構成とし、たとえ１個の白熱ランプのフィラメントが短絡故障しても、直列に接続した他のランプのフィラメント抵抗が過大な短絡電流の発生を防ぐ、過電流防止抵抗として機能するようにしたものである。
【００１１】
これによって、１個の白熱ランプのフィラメントが短絡故障を起こしても、調光装置に使用されるトライアックに過電流が流れる事はなく、調光装置の故障を防止する事ができる。
【発明の効果】
【００１２】
本発明のレンジフード付き高周波加熱装置は、従来から照明ランプの故障により発生していた過電流を防止する事ができ、調光装置に使用するトライアックやサイリスタを過電流破壊から保護することができる。また、本発明は装置を非常に安価に提供するものである。
【発明を実施するための最良の形態】
【００１３】
第１の発明は、レンジフード付き高周波加熱装置に内蔵したレンジフードの下方を照らすための照明ランプと、前記照明ランプの輝度を調光する為の調光装置を具備した調光装置を備え、前記照明ランプは２個以上の白熱ランプを直列に接続する回路構成としたレンジフード付き高周波加熱装置とするものである。
【００１４】
これにより、白熱ランプの故障時に発生する事のある過電流を防止する事によって、調光装置を過電流破壊から保護する構成を安価に提供する事ができる。
【００１５】
第２の発明は、第１の発明の調光装置の調光装置に、特に過電流に対して弱いトライアックなどの半導体素子を使用した場合、ランプ故障に対する過電流の値を小さく抑えられるので、定格電流値の小さな、安価な半導体素子を使用しても、故障のない信頼性の高いレンジフード付き高周波加熱装置の照明装置を提供する事ができる。
【００１６】
以下、本発明の実施の形態について、図面を参照しながら説明する。なお、この実施の形態によって本発明が限定されるものではない。
【００１７】
図１は、本発明の実施の形態におけるレンジフード付き高周波加熱調理装置の照明装置の回路図を示すものである。図１において、第一の白熱ランプ４１と第二の白熱ランプ４２は２個のランプを負荷電源４３に対して直列に接続したものであり、トライアック４４により回路を短時間のうちに開閉を繰り返すことによって白熱ランプに流れる電流を制御し、ランプの明るさを調光している。
【００１８】
前記トライアック４４は、フォトトライアック４５に接続され、フォトトライアック４５は、発光ダイオード４６により光接続する事により、調光制御部４７や制御部電源４８と電気的に絶縁している。
【００１９】
近年、この調光装置４９はトライアック４４とフォトトライアック４５と発光ダイオード４６を内蔵した一つの電子部品としてＳＳＲ（ソリッドステートリレー）と呼ばれ、機械的な部品であるリレーに変わって盛んに使用されるようになった。
【００２０】
以上のように構成されたレンジフード付き高周波加熱調理装置の照明装置について、以下その動作、作用を説明する。
【００２１】
まず、図１の第一の白熱ランプ４１と第二の白熱ランプ４２が例えば１２０Ｖの負荷電
源４３に接続されている場合、２個の白熱ランプの合計消費電力が６０Ｗである場合、第一の白熱ランプ４１と第二の白熱ランプ４２はそれぞれ単独では６０Ｖ、３０Ｗの消費電力のランプを使用することになる。
【００２２】
ランプ点灯中にランプに流れる電流ＩはＥ×Ｉ＝Ｐ（Ｅ：負荷電源電圧１２０Ｖ、Ｐ：白熱ランプの合計消費電力６０Ｗ）なので、Ｉ＝０．５Ａとなる。またこの時の白熱ランプの抵抗値Ｒは、ランプ１個あたり、Ｉ×Ｉ×Ｒ＝Ｐ／２であるので、Ｒ＝１２０Ωとなる。
【００２３】
本実施の形態において、第一の白熱ランプ４１が点灯途中にフィラメントが切れてその断片が電極間を短絡するような故障が発生した場合には、第二の白熱ランプ４２の内部抵抗Ｒ＝１２０Ωにより、回路電流は最大でもＩ＝１Ａ（Ｉ＝Ｅ／Ｒ、Ｅ：１２０Ｖ、Ｒ＝１２０Ω）に抑えられる。
【００２４】
図１のトライアックの最大定格が１Ａの物を使用すれば、たとえ２個のうちの１個が短絡故障を起こしても、トライアック４４が故障する事はない。また、２個のランプが同時に短絡故障すると、トライアック４４には負荷電源４３による非常に大きな短絡電流が流れるので、トライアック４４は瞬時に定格電流を越えて破壊してしまうが、このような事象は確率的には起こりえない事象である。
【００２５】
また、通常、このような白熱ランプの短絡故障は一瞬の短時間な事象であり、短絡が継続して続く事は少ない為に、一方の短絡による他方の白熱ランプが継続して通電される事はほとんど無い。
【００２６】
したがって、本発明の回路構成とした照明装置は、１個のランプに短絡故障が発生しても調光回路に大きな過電流を発生させる事が無い為に、調光装置を過電流から保護する事ができる。
【００２７】
また、本実施の形態では２個以上のランプにより照明する構成で発光面が広いために、図２に示すレンジフード付き高周波加熱調理装置の場合には、調理中に人の手によって照明の影が出来る事が無くなり利便性が増すとともに、調光装置の制御素子が１個で実現できるので、装置を安価に提供できる。
【産業上の利用可能性】
【００２８】
以上のように、本発明にかかるレンジフード付き高周波加熱調理装置の照明装置は白熱ランプの短絡故障時の過電流を防止する事によって調光装置の回路部品を保護する事が可能となるので、居室や卓上の照明器具などの用途にも適用できる。
【図面の簡単な説明】
【００２９】
【図１】本発明の実施の形態におけるレンジフード付き高周波加熱調理装置の照明装置の回路図
【図２】従来のレンジフード付き高周波加熱調理装置の全体図
【図３】従来の調光機の実施例を示す回路図
【図４】従来の調光機の他の実施例を示す回路図
【符号の説明】
【００３０】
４１  第一の白熱ランプ
４２  第二の白熱ランプ
４３  負荷電源
４４  トライアック
４５  フォトトライアック
４６  発光ダイオード
４７  調光制御部
４８  制御部電源
４９  調光装置
【図１】
2010198892.tif 000003
【図２】
2010198892.tif 000004
【図３】
2010198892.tif 000005
【図４】
2010198892.tif 000006